(57)【特許請求の範囲】
【請求項１】
光ファイバと、上記光ファイバを挿通させる光ファイバ挿通パイプとを備える光モジュールを製造する、光モジュールの製造方法であって、上記光ファイバ挿通パイプを気密封止する封止工程を含んでおり、
上記封止工程は、
少なくとも１つの開口を有する、糸半田を収容するための糸半田収容部材を、当該開口が上記光ファイバ挿通パイプの側面に設けられた供給孔に対向するように、上記光ファイバ挿通パイプの側面に設置する設置工程と、
上記光ファイバ挿通パイプを加熱して、上記設置工程において設置した上記糸半田収容部材に収容されている糸半田を溶融する加熱工程とを含み、
上記加熱工程では、誘導加熱により、上記光ファイバ挿通パイプを加熱し、
上記糸半田収容部材は、上記設置工程において上記光ファイバ挿通パイプの側面に設置されたとき、上記光ファイバ挿通パイプに接し、上記光ファイバ挿通パイプからの熱を吸収する熱吸収部を備えている
ことを特徴とする光モジュールの製造方法。
【請求項２】
上記糸半田収容部材は両端に開口を有する筒状であり、
上記加熱工程では、糸半田が収容されている上記糸半田収容部材内に、上記供給孔に対向している側とは反対側から棒を挿入し、当該棒によって当該糸半田を押さえることを特徴とする請求項１記載の製造方法。
【請求項３】
上記熱吸収部は、セラミック、または、少なくとも上記光ファイバ挿通パイプに接する表面が絶縁性材料に被覆された金属材料から構成されていることを特徴とする請求項１または２に記載の製造方法。
【請求項４】
光ファイバと、上記光ファイバを挿通させる光ファイバ挿通パイプとを備える光モジュールを製造する、光モジュールの製造方法であって、上記光ファイバ挿通パイプを気密封止する封止工程を含んでおり、
上記封止工程は、
少なくとも１つの開口を有する、糸半田を収容するための糸半田収容部材を、当該開口が上記光ファイバ挿通パイプの側面に設けられた供給孔に対向するように、上記光ファイバ挿通パイプの側面に設置する設置工程と、
上記光ファイバ挿通パイプを加熱して、上記設置工程において設置した上記糸半田収容部材に収容されている糸半田を溶融する加熱工程とを含み、
上記供給孔は、溶融前の上記糸半田を通さない形状を有していることを特徴とする光モジュールの製造方法。
【請求項５】
上記供給孔の形状は真円形または楕円形であり、
上記供給孔の直径または短径は、上記溶融前の糸半田の直径よりも小さいことを特徴とする請求項４に記載の製造方法。
【発明の詳細な説明】
【技術分野】
【０００１】
本発明は、光ファイバを備えた光モジュールの製造方法に関するものである。
【背景技術】
【０００２】
一般に、光モジュールは、発光素子（ＬＤやＬＥＤなど）が筐体内に収容され、当該発光素子と光学的に結合した光ファイバが光ファイバ挿通パイプを介して上記筐体外に引き出された構造を有している。
【０００３】
このような光モジュールに関して、光モジュール外に引き出された光ファイバを固定する方法が特許文献１に開示されている。特許文献１では、まず、側方に穴を設けられた光ファイバ挿通パイプを用意し、この光ファイバ挿通パイプに光ファイバの端部を挿入する。その後、上記穴に半田片を詰めてレーザ溶接または高周波誘導加熱により半田付けし、これによって光ファイバを固定している。この時、光ファイバの半田固定部は、半田との接合をとるため、通常、金属皮膜処理が施されている。この方法は、従来あった接着剤固定と異なり、経年劣化のおそれが無く、また短時間で作業可能であるため量産に適している。
【０００４】
ところで、発光素子は外部から侵入する湿気、埃等に大変弱く動作異常又は信頼性を著しく損ねることがある。したがって、光モジュールを製造する際には、発光素子と外部とを完全に遮断するために、光モジュールを気密封止することが必要不可欠となる。
【先行技術文献】
【特許文献】
【０００５】
【特許文献１】特開平２−６４６０８号公報（１９９０年３月５日公開）
【発明の概要】
【発明が解決しようとする課題】
【０００６】
本発明者らは、光モジュールを好適に製造するために、光モジュールを気密封止する工程の作業性を向上させることに着目し、そのために特許文献１に記載された半田供給方法が有用であることに想到した。
【０００７】
そこで、本発明者らは、光ファイバ挿通パイプに光ファイバを挿通した後、光ファイバ挿通パイプの側方に設けられた穴（以下、供給孔と称する）に半田を供給することによって、光ファイバ挿通パイプを気密封止する方法について鋭意検討した。その結果、単に供給孔に半田を供給しようとする方法では、実用的な気密封止を行うことができないことを見出した。
【０００８】
具体的には、まず本発明者らは、気密封止のために供給する半田材料としては、一般的な糸半田を用いることが好ましいと考えた。糸半田を用いた気密封止工程では、例えば高周波誘導加熱により光ファイバ挿通パイプを加熱しながら、光ファイバ挿通パイプの供給孔に糸半田を入れる。供給孔に入った糸半田が溶融して光ファイバ挿通パイプ内に充填されれば、光ファイバ挿通パイプの気密封止が行われる。しかしながら、糸半田を供給孔に近づけたとき、糸半田は、加熱された光ファイバ挿通パイプから伝導した熱によって、その温度が上昇し、柔らかくなったり溶融したりしてしまう。柔らかくなった糸半田は曲がり易く、供給孔に向けて押し込む力が伝わり難いため、その供給が難しい。また溶融した糸半田を正確に供給することは困難である。
【０００９】
本発明は、上記課題を鑑みてなされたものであり、その目的は、気密封止の作業性を向上させた光モジュールの製造方法を提供することにある。
【課題を解決するための手段】
【００１０】
本発明に係る光モジュールの製造方法は、上記の課題を解決するために、光ファイバと、上記光ファイバを挿通させる光ファイバ挿通パイプとを備える光モジュールを製造する、光モジュールの製造方法であって、上記光ファイバ挿通パイプを気密封止する封止工程を含んでおり、上記封止工程は、少なくとも１つの開口を有する、糸半田を収容するための糸半田収容部材を、当該開口が上記光ファイバ挿通パイプの側面に設けられた供給孔に対向するように、上記光ファイバ挿通パイプの側面に設置する設置工程と、上記光ファイバ挿通パイプを加熱して、上記設置工程において設置した上記糸半田収容部材に収容されている糸半田を溶融する加熱工程とを含むことを特徴としている。
【００１１】
上記設置工程において、例えば糸半田収容部材が１つの開口を有する容器状である場合、糸半田収容部材に糸半田を入れた後に当該糸半田収容部材を設置してもよい。あるいは、例えば糸半田収容部材が２つの開口を有する筒状である場合、上記設置工程において設置された糸半田収容部材に対して、光ファイバ挿通パイプに対向する開口とは反対側の開口から糸半田を入れてもよい。上記設置工程によれば、糸半田収容部材の内部が上記供給孔を介して光ファイバ挿通パイプ内と連通し、当該糸半田収容部材は、光ファイバ挿通パイプに対して糸半田を供給するための供給路（ガイド）になる。
【００１２】
上記加熱工程では、光ファイバ挿通パイプを加熱することによって、当該光ファイバ挿通パイプの温度を半田溶融温度にまで上昇させる。糸半田収容部材に収容されている糸半田は、光ファイバ挿通パイプの熱を受けて溶融し、供給孔を介して光ファイバ挿通パイプ内に供給される。ここで、光ファイバ挿通パイプ内に入る前の糸半田が、光ファイバ挿通パイプからの熱を受けて溶融したとしても、当該糸半田は糸半田収容部材に収容されているため、光ファイバ挿通パイプの外部に付着することなく、供給孔に正確に供給される。その後、溶融して光ファイバ挿通パイプ内に供給された半田は、その濡れ性によって光ファイバ挿通パイプの内壁と光ファイバとの間に充填される。
【００１３】
したがって、上記方法によれば、糸半田を正確に供給することによって気密封止の作業性を向上させ、光モジュールを効率よく製造することができる。
【００１４】
また、本発明に係る光モジュールの製造方法において、上記加熱工程では、誘導加熱により、上記光ファイバ挿通パイプを加熱することが好ましい。
【００１５】
誘導加熱による加熱は、加熱の立ち上がりが速く、均一に加熱することができる。それゆえ、誘導加熱によって上記光ファイバ挿通パイプを加熱することにより、上記糸半田を短時間で確実に溶融させることができる。
【００１６】
また、本発明に係る光モジュールの製造方法において上記糸半田収容部材は両端に開口を有する筒状であり、上記加熱工程では、糸半田が収容されている上記糸半田収容部材内に、上記供給孔に対向している側とは反対側から棒を挿入し、当該棒によって当該糸半田を押さえることが好ましい。
【００１７】
上記方法によれば、棒が糸半田に対して供給孔に向かう力を加えるため、溶融した糸半田の上記供給孔への供給を促進することができる。
【００１８】
また、本発明に係る光モジュールの製造方法において、上記糸半田収容部材は、上記設置工程において上記光ファイバ挿通パイプの側面に設置されたとき、上記光ファイバ挿通パイプに接し、上記光ファイバ挿通パイプからの熱を吸収することが好ましい。
【００１９】
上記方法によれば、上記加熱工程において、糸半田収容部材は、加熱された光ファイバ挿通パイプから熱を受け取り、当該光ファイバ挿通パイプの温度が過度に上昇することを防ぐ。これによって、光ファイバ挿通パイプ内に入った半田が不適切な部位にまで濡れ広がることを抑え、光ファイバ挿通パイプの内壁と光ファイバとの間に半田を充填して、気密封止を好適に行うことができる。
【００２０】
また、本発明に係る光モジュールの製造方法において、上記糸半田収容部材は、上記設置工程において上記光ファイバ挿通パイプの側面に設置されたとき、上記光ファイバ挿通パイプに接し、上記光ファイバ挿通パイプからの熱を吸収する熱吸収部を備えていることが好ましい。
【００２１】
上記方法によれば、上記加熱工程において、熱吸収部は、加熱された光ファイバ挿通パイプから熱を受け取り、当該光ファイバ挿通パイプの温度が過度に上昇することを防ぐ。これによって、光ファイバ挿通パイプ内に入った半田が不適切な部位にまで濡れ広がることを抑え、光ファイバ挿通パイプの内壁と光ファイバとの間に半田を充填して、気密封止を好適に行うことができる。
【００２２】
また、本発明に係る光モジュールの製造方法において、上記熱吸収部は、セラミック、または、少なくとも上記光ファイバ挿通パイプに接する表面が絶縁性材料に被覆された金属材料から構成されていることが好ましい。
【００２３】
上記熱吸収部が導電性を有している場合、光ファイバ挿通パイプにおいて誘導された電流が当該光ファイバ挿通パイプに接する上記熱吸収部に流れ、熱が発生することがある。上記熱吸収部が上記材料から構成されていれば、上述したような電流が光ファイバ挿通パイプから熱吸収部に流れることを防ぐことができる。よって、熱吸収部と光ファイバ挿通パイプとの接触箇所における局所的な加熱を避け、熱吸収部による光ファイバ挿通パイプの熱引きについて好適に行うことができる。したがって、上記方法によれば、気密封止の作業性をより向上させることができる。
【００２４】
また、本発明に係る光モジュールの製造方法において、上記供給孔は、溶融前の上記糸半田を通さない形状または大きさを有していることを特徴とする請求項１から４のいずれか１項に記載の製造方法。
【００２５】
上記方法によれば、上記加熱工程において、溶融前の糸半田が光ファイバ挿通パイプ内の光ファイバに接することなく、当該光ファイバが傷つくことを防止することができる。
【００２６】
また、本発明に係る光モジュールの製造方法において、上記供給孔の形状は真円形または楕円形であり、溶融前の上記糸半田の直径は、上記供給孔の直径または短径よりも大きいことが好ましい。
【００２７】
上記方法によれば、溶融前の糸半田が光ファイバ挿通パイプ内の光ファイバに接することがないように、供給孔の形状と糸半田とのサイズとの関係を好適に設定することができる。それゆえ、光ファイバの傷つきを首尾よく防止することができる。
【００２８】
また、上記封止工程を含む、光ファイバが挿通している光ファイバ挿通パイプを気密封止する封止方法もまた、本発明の範疇に含まれる。
【発明の効果】
【００２９】
本発明に係る方法は、光ファイバと、上記光ファイバを挿通させる光ファイバ挿通パイプとを備える光モジュールを製造する、光モジュールの製造方法であって、上記光ファイバ挿通パイプを気密封止する封止工程を含んでおり、上記封止工程は、少なくとも１つの開口を有する、糸半田を収容するための糸半田収容部材を、当該開口が上記光ファイバ挿通パイプの側面に設けられた供給孔に対向するように、上記光ファイバ挿通パイプの側面に設置する設置工程と、上記光ファイバ挿通パイプを加熱して、上記設置工程において設置した上記糸半田収容部材に収容されている糸半田を溶融する加熱工程とを含む。したがって、半田を正確に供給することができるため、気密封止の作業性を向上させ、光モジュールを効率よく製造することができる。
【図面の簡単な説明】
【００３０】
【図１】本発明に係る光モジュール製造方法における気密封止工程を説明するための断面図である。
【図２】図１に示す封止工程における半田押さえ工程を説明するための断面図である。
【図３】（ａ）は図１に示す光モジュールにおける光ファイバ挿通パイプを示す側面図であり、（ｂ）はその上面図である。
【図４】図１に示す封止工程に用いられるガイドの変形例を説明するための断面図である。
【図５】（ａ）は図１に示す封止工程に用いられるガイドの他の変形例を説明するための部分断面図であり、（ｂ）は（ａ）における断面と垂直な平面での断面図である。
【図６】（ａ）は図１に示す封止工程に用いられるガイドの他の変形例を説明するための部分断面図であり、（ｂ）は、（ａ）における断面と垂直な平面での断面図である。
【発明を実施するための形態】
【００３１】
以下、本発明の実施の形態について詳細に説明する。
【００３２】
〔光モジュール１０について〕
まず、本実施形態に係る光モジュール製造方法において、気密封止工程のために準備される光モジュール１０について図１を参照して説明する。図１は、気密封止工程を説明するための断面図である。
【００３３】
図１に示すように、光モジュール１０は、発光素子１２、筐体１、光ファイバ挿通パイプ２、および光ファイバ３を備える。
【００３４】
筐体１は、発光素子１２を収容および固定する機能を有する光素子パッケージであり、その側面には光ファイバ挿通パイプ２が設けられている。
【００３５】
光ファイバ挿通パイプ２は、筐体１の側面に設けられた筒状のパイプであって、筐体１の内部および外部に向かって開口している。また、光ファイバ挿通パイプ２の側面には糸半田６用の供給孔４が設けられている。光ファイバ挿通パイプ２の材料は、例えばコバール等、後述する高周波誘導加熱により効果的に加熱される材料であることが好ましい。
【００３６】
光ファイバ３は、光ファイバ挿通パイプ２を介して筐体１内に挿通され、発光素子１２と光軸調芯を行われた上で光学的に接続されている。光ファイバ３は、マウント１１によって筐体１内で保持されていてもよい。光ファイバ３としては、メタライズファイバを好適に用いることができる。
【００３７】
発光素子１２としては、例えばＬＤチップなどを用いることができる。発光素子１２は、外部から筐体１内に挿入されたリード１３に、配線を介して接続されていてもよい。
【００３８】
なお、上述した各部材は、上記以外の形状、構造、大きさ等について特に制限はなく、光モジュール１０の用途、目的に応じて、適宜選択することができる。
【００３９】
〔製造方法〕
本実施形態に係る光モジュールの製造方法は、上述した光モジュール１０において、光ファイバ挿通パイプ２を気密封止する封止工程を含んでおり、上記封止工程は、少なくとも１つの開口を有するガイド（糸半田収容部材）５を、当該開口が光ファイバ挿通パイプ２の側面に設けられた供給孔４に対向するように、光ファイバ挿通パイプ２に設置する設置工程と、光ファイバ挿通パイプ２を加熱して、上記設置工程において設置されたガイド５に収容されている糸半田６を溶融する加熱工程とを含めばよい。加熱工程において溶融された糸半田６は、供給孔４を介して光ファイバ挿通パイプ２内に供給され、光ファイバ挿通パイプ２を気密封止する。
【００４０】
次に、上記封止工程に含まれる上記の各工程について図１を参照して説明する。
【００４１】
〔設置工程〕
上記設置工程においては、ガイド５を、その開口が供給孔４に対向するように光ファイバ挿通パイプ２に設置する。
【００４２】
ガイド５は、一つの開口を有する容器であってもよく、二つの開口を有する筒であってもよい。なお、図１を参照した説明では筒状のガイド５を用いている。この場合、ガイド５に糸半田６を入れた後にこのガイド５を設置してもよいし、ガイド５が設置された後に糸半田６を入れてもよい。
【００４３】
ガイド５の内部は円柱状の空間であることが好ましく、その開口の直径は、糸半田６を好適に供給するために、糸半田６の直径よりも大きく、かつ、光ファイバ挿通パイプ２の直径よりも小さいことが好ましい。
【００４４】
ガイド５の材料としては、例えば、銅、アルミ、セラミックスまたはガラス等、誘導加熱され難い材料であることが好ましい。このような材料からなるガイド５を用いることにより、後述の加熱工程において、ガイド５が誘導加熱されることを抑制し、光ファイバ挿通パイプ２に供給される前の糸半田６がガイド５内で溶融してしまうことを抑制する。このため、糸半田６を好適に供給することができる。
【００４５】
上記設置工程によれば、ガイド５は、糸半田６を光ファイバ挿通パイプ２に供給するための供給路として設置される。
【００４６】
〔加熱工程〕
上記加熱工程においては、光ファイバ挿通パイプ２を加熱して、上記設置工程において設置されたガイド５に収容されている糸半田６を溶融する。
【００４７】
光ファイバ挿通パイプ２の加熱に関しては、高周波誘導加熱装置を利用することが好ましい。高周波誘導加熱装置は、基本的に、ＡＣ電源及びワークコイルを備えており、被加工材料に渦電流を誘導して発熱せしめる装置である。高周波誘導加熱を利用すれば、被加工材料（本明細書では光ファイバ挿通パイプ２）を正確に短時間で加熱することができる。
【００４８】
なお、光ファイバ挿通パイプ２の加熱に関して、本発明は高周波誘導加熱に限られるものではなく、他の加熱方法を用いてもよい。
【００４９】
糸半田６としては、一般的で安価なものを利用することができる。糸半田６は、気密封止のために必要な一回分の量を有する長さにカットされたものでもよいし、数回分の量を有する長さにカットされたものでもよい。
【００５０】
図１に示すように、供給孔４が光ファイバ挿通パイプ２の上側に設けられている場合、ガイド５内の糸半田６はその自重によって供給孔４に向かって進む。また、後述するように、ガイド５内の糸半田６に対して供給孔４側に力を加えてもよい。
【００５１】
上記加熱工程において、供給孔４に近づいた糸半田６は、加熱された光ファイバ挿通パイプ２からの熱を受けて溶融する。ここで、糸半田６はガイド５を通るため、溶融しても光ファイバ挿通パイプ２の外側に付着することなく、供給孔４に正確に到達することができる。供給孔４に到達した糸半田６は、溶融しながら供給孔４を介して光ファイバ挿通パイプ２内に供給される。その後、溶融した糸半田は、光ファイバ挿通パイプ２内で濡れ広がり、光ファイバ挿通パイプ２の内壁と光ファイバ３との間に充填される。これによって、光ファイバ挿通パイプ２を作業性よく気密封止することができる。
【００５２】
なお、気密封止が完了した後には、ガイド５を光ファイバ挿通パイプ２から取り外せばよい。
【００５３】
以上のように気密封止が行われることによって、光モジュール１０が完成する。
【００５４】
〔半田押さえ工程〕
上述した加熱工程において、例えば糸半田６の重さが十分にない場合、その自重のみによっては糸半田６が供給孔４付近の光ファイバ挿通パイプ２との接触部から十分に熱伝導されず、糸半田６が溶融できずに気密封止できないことがある。
【００５５】
そこで、上記加熱工程は、糸半田６が収容されたガイド５内に、供給孔４に対向している側とは反対側から押さえ棒７を挿入し、押さえ棒７によって糸半田６に押さえる半田押さえ工程を含んでいてもよい。本工程について図２を参照して説明する。図２は、上記半田押さえ工程を説明するための断面図である。
【００５６】
上記半田押さえ工程によれば、押さえ棒７は、ガイド５内の糸半田６に対して図２中矢印の方向に力を加え、糸半田６が供給孔４に供給されることを促進する。また、光ファイバ挿通パイプ２の側面におけるどの位置に供給孔４が設けられていたとしても、押さえ棒７を糸半田６に突き当てながら糸半田６を供給することができる。
【００５７】
押さえ棒７の材料は、例えば、ガラスまたはセラミック等、熱伝導性が悪い材料であることが好ましい。このような材料から構成することによって、押さえ棒７が、供給される糸半田６の熱を熱伝導によって奪ってしまうことを抑制することができる。
【００５８】
一例として、円筒状のガイド５が、純銅の材質によって、外径２ｍｍ、内径１．５ｍｍ、長さ１０ｃｍに形成されている場合、押さえ棒７としては、例えば、ガラスの材質によって、外径１ｍｍの円柱形状、長さ２０ｃｍ、重さ１．５ｇに形成されたものを用いることができる。また、この場合における糸半田６としては、成分がＡｕＳｎ９０であって、外径１．２ｍｍ、長さ５．５ｍｍ、重さ０．０５ｇのものを用いることができる。
【００５９】
また、押さえ棒７は、糸半田６に突き当たる側の先端部（下端部とする）の形状が加工されていてもよい。例えば、押さえ棒７の下端部がＲ加工されている場合、糸半田６を光ファイバ挿通パイプ２内に全て押し込み、糸半田６が光ファイバ挿通パイプ２の外周から盛り上がって固まることのないようにすることができる。あるいは、押さえ棒の下端部が逆Ｒ加工されている場合、供給孔４の部分が光ファイバ挿通パイプ２の側面に沿った形状になるように糸半田６を固めることができる。
【００６０】
また、押さえ棒７は単独で用いてもよいが、図２に示すように、上記下端部とは反対側においてガイド５から突出した位置に、ストッパ８が固定されていることが好ましい。ストッパ８は、押さえ棒７が図２中矢印の方向に進むとガイド５の縁に接触する構成を有し、押さえ棒７の下端部が供給孔４よりも先に進まないようにする役割を果たす。これによって、押さえ棒７が光ファイバ３を傷つけてしまうことを防止する。
【００６１】
ストッパ８は高周波誘導加熱装置に対してリモート接続するタッチセンサ（図示しない）を備えていてもよい。例えば、ストッパ８がガイド５の縁に接触すると上記タッチセンサが働き、高周波誘導加熱装置に対して信号を送り、加熱をストップさせてもよい。
【００６２】
（供給孔４の形状）
供給孔４の形状は、上記加熱工程において用いる糸半田６のサイズに基づいて条件を設定することができる。供給孔４の形状について図３を参照して説明する。図３（ａ）は、供給孔４付近を拡大して示す側面図であり、図３（ｂ）は、供給孔４付近を拡大した上面図である。
【００６３】
例えば、図３（ａ）（ｂ）に示すように、供給孔４が楕円形である場合、供給孔４の短径Ａは、糸半田６の直径Ｓよりも小さいことが好ましい。
【００６４】
あるいは、供給孔４が真円形である場合、供給孔４の直径は、糸半田６の直径Ｓよりも小さいことが好ましい。
【００６５】
なお、いずれの場合であっても、上記加熱工程において供給される糸半田６のサイズは、光ファイバ挿通パイプ２の直径Ｃよりも小さいことが好ましい。
【００６６】
仮に、供給孔４の直径または短径が糸半田６の直径よりも大きい場合、上記加熱工程において、溶融前の糸半田６が供給孔４を通って光ファイバ挿通パイプ２中に入る可能性がある。溶融前の糸半田６は非常に硬く、特に光ファイバ挿通パイプ２に挿通された光ファイバ３がベアファイバである場合には、糸半田６が光ファイバ３を傷つけ、最悪の場合、光ファイバ３が破断してしまう可能性がある。また、光ファイバ挿通パイプ２の直径Ｃよりも太い糸半田６を用いる場合、糸半田６は、光ファイバ挿通パイプ２の内部にうまく入っていかず、光ファイバ挿通パイプ２部の外側に溢れ出してしまう。
【００６７】
ここで、供給孔４が上述のような形状であれば、上記加熱工程において、溶融前の糸半田６が、供給孔４を介して光ファイバ挿通パイプ２の中に入ることはない。また、溶融後の糸半田６は、供給孔４を介して光ファイバ挿通パイプ２の内部に首尾よく入ることができる。
【００６８】
なお、供給孔４の形状は楕円形または真円形に限られず、任意に設計可能である。この場合、供給孔４の形状または大きさは、溶融前の糸半田６を通過させることのないように設計されることが好ましい。
【００６９】
（ガイド５の変形例）
次に、本発明に係る製造方法に用いられるガイド５は、上述した構成に限られない。以下、ガイド５の変形例についてする。
【００７０】
まず、図４に示すように、容器状のガイド５ａを用いてもよい。図４は、ガイド５ａを用いた場合における封止工程を説明するための断面図である。この場合、上記設置工程では、気密封止に必要な量の糸半田６を予めガイド５ａ内に入れてから、ガイド５ａを光ファイバ挿通パイプ２に設置すればよい。これにより、ガイド５ａは、上述したガイド５と同様に、光ファイバ挿通パイプ２に対して糸半田６を供給するためのガイドになる。
【００７１】
また、ガイド５は、光ファイバ挿通パイプ２に接して、光ファイバ挿通パイプ２からの熱を吸収する機能を有するものであってもよい。このためには、ガイド５の材料が、セラミック、銅などの、熱伝導性が高く誘導加熱されにくい材料から構成されることが好ましい。また、ガイド５の形状は、光ファイバ挿通パイプ２との良好な接触を可能にする形状であることが好ましい。
【００７２】
また、図５（ａ）（ｂ）に示すように、筒状のガイド本体とプレート部（熱吸収部）９とが一体的に構成されたガイド５ｂを用いてもよい。図５（ａ）は、ガイド５ｂを用いた場合における気密封止工程を説明するための部分断面図であり、図５（ｂ）は、（ａ）に示す糸半田６の中心を通り、かつ、（ａ）における断面と垂直な平面での断面図である。
【００７３】
あるいは、図６に示すように、容器状のガイド本体とプレート部９とが一体的に構成されたガイド５ｃを用いてもよい。図６（ａ）は、ガイド５ｃを用いた場合における気密封止工程を説明するための部分断面図であり、図６（ｂ）は、（ａ）に示す糸半田６の中心を通り、かつ、（ａ）における断面と垂直な平面での断面図である。
【００７４】
ガイド５ｂまたは５ｃのいずれを用いた場合であっても、上記設置工程において、プレート部９は、光ファイバ挿通パイプ２における筐体１とは反対側の端部２ａに接する。すなわち、後に行われる上記加熱工程において、プレート部９は、加熱された光ファイバ挿通パイプ２の端部２ａの熱引きを行い、光ファイバ挿通パイプ２の端部２ａの温度が過度に上昇しないように抑制する。これによって、溶融した半田が光ファイバ挿通パイプ２の端部２ａにまで濡れ広がってしまうことが抑制され、気密封止がより良好に行われる。
【００７５】
なお、プレート部９を設ける位置、大きさは上述した位置に限定されず、糸半田６が濡れ広がる領域が適切なものとなるように、適宜設定することができる。
【００７６】
プレート部９の材料は、上記熱引きが良好に行われるように、熱伝導性の高い材料であることが好ましい。ただし、金属材料が光ファイバ挿通パイプ２に直接接すると、金属同士が接触することになり、光ファイバ挿通パイプ２からプレート部９に電流が流れるときに接触抵抗によって接触箇所が局所的に発熱してしまう。このため、プレート部９の材料としては、セラミックや、少なくとも光ファイバ挿通パイプ２に接する表面に絶縁性の被膜（例えば酸化膜）を施された金属材料などを好適に用いることができる。
【００７７】
ガイド５ｂまたは５ｃの材料は、ガイド本体とプレート部９とを一体的に構成するために、これらの両方の役割を鑑みた上で選択することが好ましい。例えば、ガイド５ｂまたは５ｃは、セラミックや、プレート部９に絶縁性被膜を施された銅から好適に構成することができる。
【産業上の利用可能性】
【００７８】
本発明は、例えば光通信システムに用いる光モジュールの製造方法として利用することができる。
【符号の説明】
【００７９】
１  筐体
２  光ファイバ挿通パイプ
３  光ファイバ
４  供給孔
５  ガイド（糸半田収容部材）
６  糸半田
７  押さえ棒（棒）
８  ストッパ
９  プレート部（熱吸収部）
１０  光モジュール
１２  発光素子
【図１】
0005394965.tif 000002
【図２】
0005394965.tif 000003
【図３】
0005394965.tif 000004
【図４】
0005394965.tif 000005
【図５】
0005394965.tif 000006
【図６】
0005394965.tif 000007